(57)【特許請求の範囲】
【請求項１】
第１の複数のブラシフィラメントと、
第２の複数のブラシフィラメントであって、前記第１の複数のブラシフィラメントの特性と前記第２の複数のブラシフィラメントの対応する特性とが互いに異なる、第２の複数のブラシフィラメントと、
前記第１及び第２の複数のブラシフィラメントと駆動接続され、前記第１の複数のブラシフィラメント又は前記第２の複数のブラシフィラメントを使用のために選択するために作動可能に構成された作動要素と、
を有し、
フィラメント担体を更に有し、前記第１及び第２の複数のブラシフィラメントは、前記フィラメント担体に接続され、前記作動要素は、前記フィラメント担体が、使用のために選択された第１の複数のブラシフィラメントに関連する第１の位置と、使用のために選択された第２の複数のブラシフィラメントに関連する第２の位置と、の間で、前記フィラメント担体の長軸に沿って回転可能であるように、前記フィラメント担体に駆動接続され、
外歯を有する歯車を更に有し、前記歯車は、回転的に固定された態様で前記フィラメント担体に接続され、前記歯車の前記外歯は、前記作動要素の内歯に係合するヘアブラシ装置。
【請求項２】
回転的に動かすことが可能な態様で前記作動要素に接続された柄と、
前記柄に回転的に固定された態様で接続され、前記作動要素を前記柄に対して回転的に固定するため前記作動要素に着脱可能に係合することが可能なように構成された、固定要素と、
を更に有する、請求項１記載のヘアブラシ装置。
【請求項３】
前記作動要素は、前記固定要素を少なくとも部分的に収容するように構成された第１及び第２の凹部を有する、請求項２に記載のヘアブラシ装置。
【請求項４】
複数の開口部を有する管状基部体を更に有し、使用のために選択された前記第１の複数のブラシフィラメントは、前記複数の開口を通って延在する前記第１の複数のブラシフィラメントに関連し、使用のために選択された前記第２の複数のブラシフィラメントは、前記複数の開口を通って延在する前記第２の複数のブラシフィラメントに関連する、請求項１乃至３のいずれか一項に記載のヘアブラシ装置。
【請求項５】
前記第１の複数のブラシフィラメント及び前記第２の複数のブラシフィラメントは、前記フィラメント担体の長手方向の広がりに対し前記フィラメント担体の周縁方向に沿って分散された列に配置された、請求項１乃至４のいずれか一項に記載のヘアブラシ装置。
【請求項６】
前記フィラメント担体は、細長い本体を有し、前記細長い本体は、第１及び第２の対向する側面を有し、前記第１の複数のブラシフィラメントは、前記第１の側面に配置され、前記第２の複数のブラシフィラメントは、前記第２の側面に配置される、請求項１乃至５のいずれか一項に記載のヘアブラシ装置。
【請求項７】
前記特性は、前記複数のブラシフィラメントの数、前記ヘアブラシ装置に沿った前記複数のブラシフィラメントの配置、前記複数のブラシフィラメントの色、前記複数のブラシフィラメントの長さ、前記複数のブラシフィラメントの厚さ、及び前記複数のブラシフィラメントの材料のうちの少なくとも１つを有する、請求項１乃至６のいずれか一項に記載のヘアブラシ装置。
【請求項８】
複数のフィラメント担体を更に有し、前記第１及び第２の複数のブラシフィラメントは、前記複数のフィラメント担体に接続され、前記作動要素は、前記複数のフィラメント担体が、使用のために選択された前記第１の複数のブラシフィラメントに関連する第１の位置と、使用のために選択された前記第２の複数のブラシフィラメントに関連する第２の位置と、の間で、前記複数のフィラメント担体の長軸に沿って回転可能であるように、前記複数のフィラメント担体に駆動接続される、請求項１乃至７のいずれか一項に記載のヘアブラシ装置。
【請求項９】
少なくとも他の複数のブラシフィラメントを更に有し、前記第１の複数のブラシフィラメントの特性と、前記第２の複数のブラシフィラメントの対応する特性と、前記少なくとも他の複数のブラシフィラメントの対応する特性とは互いに異なり、前記作動要素は、前記少なくとも他の複数のブラシフィラメントに駆動接続され、前記第１の複数のブラシフィラメント、前記第２の複数のブラシフィラメント、又は前記少なくとも他の複数のブラシフィラメントを使用のため選択するために作動可能に構成された、請求項１乃至８のいずれか一項に記載のヘアブラシ装置。
【請求項１０】
請求項１乃至９のいずれか一項に記載のヘアブラシ装置を有する、髪の毛を乾かすように構成されたヘアドライヤー機器。
【請求項１１】
請求項１乃至９のいずれか一項に記載のヘアブラシ装置を有する、髪の毛をカーリングするように構成されたヘアカーリング機器。
【発明の詳細な説明】
【技術分野】
【０００１】
本発明は、ヘアブラシ装置の分野に関し、特にヘアブラシ装置、ヘアドライヤー機器、及びヘアカーリング装置に関する。
【背景技術】
【０００２】
ヘアスタイリングの際、ユーザはヘアブラシ装置を用いる。斯かるヘアブラシ装置は従来、複数のブラシフィラメントが固定されたフィラメント担体を有する。
【０００３】
該複数のブラシフィラメントは、例えば馬の毛、ナイロン及びプラスチックといった種々の材料を用いて製造されることができ、該複数のブラシフィラメントの厚さ及び長さの点で種々の寸法を有し得る。斯かる材料、寸法及び該複数のブラシフィラメントの数は、該複数のブラシフィラメントの剛性に影響を与え得るものであり、従って種々のスタイリング用途のためのヘアブラシ装置を特徴付け得る。
【０００４】
ユーザは、種々の髪の毛のスタイリング効果を実現するため、異なる剛性を持つ複数のブラシフィラメントを有するヘアブラシ装置を利用し得る。
【発明の概要】
【発明が解決しようとする課題】
【０００５】
従って、ヘアブラシ装置が種々のスタイリング用途に利用できるように複数のヘアブラシのフィラメントの剛性を選択的に調節することが望ましいものとなり得る。
【０００６】
米国特許US6,070,594は、複数のフィラメント担体が収容された管状基部体を有するヘアブラシ装置を記載している。複数のブラシフィラメントが該複数のフィラメント担体のそれぞれに装着され、該管状基部体に形成された開口を通して延在する。該複数のブラシフィラメントは、該ヘアブラシ装置の管状基部体に格納可能である。この目的のため、該複数のフィラメント担体は、該ヘアブラシ装置の長手方向の軸のまわりに回転可能である。
【０００７】
該ヘアブラシ装置のユーザは、該管状基部体に（部分的に）格納された該複数のブラシフィラメントを意図せずに離してしまい、該ヘアブラシ装置の該複数のブラシフィラメントの変化させられた剛性に導き得る。しかしながら、該複数のブラシフィラメントの剛性の変化は、該ヘアブラシ装置の特性を不可逆的に変更してしまい、該ヘアブラシ装置をもはや利用できないものとしてしまい得る。
【０００８】
本発明の目的は、種々のヘアスタイリング用途に利用可能となり得る、ヘアブラシ装置、ヘアドライヤー機器及びヘアカーリング機器を提供することにある。
【課題を解決するための手段】
【０００９】
以上に定義された目的は、独立請求項によるヘアブラシ装置、ヘアドライヤー機器及びヘアカーリング機器により達成される。
【００１０】
本発明の態様の一例によれば、第１の複数のブラシフィラメントと、第２の複数のブラシフィラメントであって、前記第１の複数のブラシフィラメントの特性と前記第２の複数のブラシフィラメントの対応する特性とが互いに異なる、第２の複数のブラシフィラメントと、前記第１及び第２の複数のブラシフィラメントと駆動接続され、前記第１の複数のブラシフィラメント又は前記第２の複数のブラシフィラメントを使用のために選択するために作動可能に構成された作動要素と、を有するヘアブラシ装置が提供される。
【００１１】
本発明の他の態様の一例によれば、髪の毛を乾かすように構成され、以上に記載されたヘアブラシ装置を有する、ヘアドライヤー機器が提供される。
【００１２】
本発明の他の態様の一例によれば、髪の毛をカールさせるように構成され、以上に記載されたヘアブラシ装置を有する、ヘアカーリング機器が提供される。
【００１３】
本発明の態様の一例によれば、選択可能な剛性を持つ複数のブラシフィラメントを有し得るヘアブラシ装置が提供され得る。この目的のため、髪の毛をスタイリングするためにユーザにより使用されるように第１の複数のブラシフィラメントが選択されるか、又は代替として斯かる使用のため第２の複数のブラシフィラメントが選択されることができ、該ヘアブラシ装置は第１の剛性又は第２の剛性を持つ複数のブラシフィラメントを有することができる。
【００１４】
とりわけ、該ヘアブラシ装置の利用領域が増大させられ得る。なぜなら、該ヘアブラシ装置は、可変の剛性を持つ利用可能な複数のブラシフィラメントを有することができ、斯くして種々のヘアスタイリング効果を実現するために利用され得るからである。
【００１５】
とりわけ、該ヘアブラシ装置は、該ヘアブラシ装置のユーザにより容易に取り扱うことができる。なぜなら、ユーザは、該第１又は第２の複数のブラシフィラメントの選択のため、該ヘアブラシ装置の作動要素を作動させ得るからである。
【００１６】
とりわけ、利用される複数のブラシフィラメントの剛性は可逆的に選択可能であり、それにより、既知のヘアブラシ装置から知られているような、該複数のブラシフィラメントの可変の剛性に関連する該ヘアブラシ装置の損傷が回避され得る。
【００１７】
次に、該ヘアブラシ装置の更なる実施例が説明される。しかしながら、これら実施例はヘアドライヤー機器及びヘアカーリング機器にも当てはまる。
【００１８】
とりわけ、１つのブラシフィラメントは１つ以上の毛を有しても良い。
【００１９】
該ヘアブラシ装置は、フィラメント担体を更に有しても良く、前記第１及び第２の複数のブラシフィラメントは、前記フィラメント担体に接続されても良く、前記作動要素は、前記フィラメント担体が、使用のために選択された第１の複数のブラシフィラメントに関連する第１の位置と、使用のために選択された第２の複数のブラシフィラメントに関連する第２の位置と、の間で、前記フィラメント担体の長軸に沿って回転可能であるように、前記フィラメント担体に駆動接続されても良い。従って、該第１及び第２の複数のブラシフィラメントの選択は、該第１の位置と該第２の位置との間のフィラメント担体の回転に基づいても良く、これにより該ヘアブラシ装置は、該ヘアブラシ装置の選択可能な剛性にもかかわらず、少ない数の構成要素により、構造的に単純で小型な設計を有し得る。
【００２０】
該作動要素は管状の回転ホイールとして構成されても良く、とりわけ該回転ホイールをユーザが把持するのを容易化するための溝を持つ回転ホイールとして構成されても良い。
【００２１】
該ヘアブラシ装置は、（特に歯車の外側面に形成された）外歯を有する歯車を更に有しても良く、前記歯車は、回転的に固定された態様で前記フィラメント担体に接続されても良く、前記歯車の前記外歯は、（特に前記作動要素の内側面に形成された）前記作動要素の内歯に係合しても良い。とりわけ、該歯車の横前側は、該歯車の前側に接続されても良い。とりわけ、該歯車は、接着剤を用いて、又は該歯車とフィラメント担体とを互いに溶接することにより、フィラメント担体に固定されても良い。この手段は、作動要素とフィラメント担体との間の回転ベースの駆動接続を提供するための、構造的に単純な手法を表し得る。
【００２２】
該ヘアブラシ装置は、回転的に動かすことが可能な態様で前記作動要素に接続された柄と、（着脱可能な態様で）前記柄に回転的に固定された態様で接続され、前記作動要素を前記柄に対して回転的に固定するため前記作動要素に着脱可能に係合することが可能なように構成された固定要素と、を更に有しても良い。従って、該ヘアブラシ装置はロック機構を有し得、それにより作動要素が、該ヘアブラシ装置の使用の間、柄に対して回転方向に静止し得るが、第１又は第２の複数のブラシフィラメントの選択のために作動された場合には、回転方向に可動となり得る。該フィラメント担体は作動要素と駆動接続され得るため、該ロック機構は、該ヘアブラシ装置を使用する際のフィラメント担体及び選択された第１又は第２の複数のブラシフィラメントの回転方向の動きを表し得、使用のために第１又は第２の複数のブラシフィラメントを選択する際にフィラメント担体を回転させることを可能とし得る。
【００２３】
前記作動要素は、前記固定要素を少なくとも部分的に収容するように構成された第１及び第２の凹部を有しても良い。とりわけ、作動要素を作動させると、固定要素が該第１及び／又は第２の凹部から離され、該作動要素の動きに続いて、該固定要素は該第１及び／又は第２の凹部に係合させられる。斯くして、この手法は、柄に対して作動要素を回転可能に固定するための着脱可能なロック機構を提供するための、コスト効率が良く単純な手法を提供し得、それにより第１又は第２の複数のブラシフィラメントの選択は、該ヘアブラシ装置の使用の間に意図せずに変更されなくなる。
【００２４】
とりわけ、該固定要素は１つの部材を有しても良く、使用のために選択された第１の複数のブラシフィラメントは、第１の凹部に少なくとも部分的に収容された固定要素と関連しても良く、使用のために選択された第２の複数のブラシフィラメントは、第２の凹部に少なくとも部分的に収容された固定要素と関連しても良い。斯くして、数個の構成要素しか必要とされないため、ロック機構がコスト効率の良いものとなり得る。
【００２５】
とりわけ、該固定要素は２つの（特に同一の）部材を有しても良く、使用のために選択された第１の複数のブラシフィラメントは、第１の凹部に少なくとも部分的に収容された固定要素の第１の部材と関連しても良く、第２の部材が第２の凹部に少なくとも部分的に収容されても良く、第２の複数のブラシフィラメントは、第２の凹部に少なくとも部分的に収容された固定要素の第１の部材と関連しても良く、第２の部材が第１の凹部に少なくとも部分的に収容されても良い。斯くして、該ヘアブラシ装置のための機械的な安定したロック機構が提供され得る。
【００２６】
とりわけ、第１及び第２の凹部は、径方向に反対の位置において、作動要素（の特に前側）に形成されても良い。
【００２７】
とりわけ、固定要素（の部材）は、バネ荷重された球又はプッシュロッドを有しても良い。固定要素のためのこれら従来の手段は、該ヘアブラシ装置の外観の構造的な変更を必要とせずに、該ヘアブラシ装置に容易に実装されることができる。なぜなら、斯かる固定要素は、該ヘアブラシ装置に容易に一体化可能な空間をとらない構成要素を表し得るからである。
【００２８】
該ヘアブラシ装置は、（特に管状基部体に形成された）複数の開口部を有する管状基部体を更に有しても良く、使用のために選択された前記第１の複数のブラシフィラメントは、前記複数の開口を通って延在する前記第１の複数のブラシフィラメントに関連し、使用のために選択された前記第２の複数のブラシフィラメントは、前記複数の開口を通って延在する前記第２の複数のブラシフィラメントに関連しても良い。従って、管状基部体がフィラメント担体を損害及び第１及び第２の複数のブラシフィラメントとフィラメント担体との間の接点から保護し、第１の複数のブラシフィラメントか又は第２の複数のブラシフィラメントを周囲に露出させ、それにより第１の複数のブラシフィラメント又は第２の複数のブラシフィラメントが使用のために選択され得るようにし得る。
【００２９】
とりわけ、該複数の開口のそれぞれは、管状基部体の長手軸に対して横切るように、とりわけ垂直に延在しても良く、及び／又は細長い穴として構成されても良く、それにより第１及び第２の複数のブラシフィラメントを必ずしも屈曲させる又は損傷させることなく、これら複数のブラシフィラメントを管状基部体へと回転的に露出させる又は回転的に引き出すための十分な空間を提供する。
【００３０】
とりわけ、管状基部体に対して柄が回転的に固定されても良く、それにより第１及び第２の複数のブラシフィラメント及び該柄の相対的な配置は、該ヘアブラシ装置の使用の間は回転的に固定され得、それにより該ヘアブラシ装置の使用を容易化する。
【００３１】
とりわけ、フィラメント担体が管状基部体の長軸に平行に又は該長軸に沿って延在しても良く、それにより該ヘアブラシ装置の第１及び第２の複数のブラシフィラメントの選択の間に、管状基部体におけるフィラメント担体の傾斜を防止する。
【００３２】
前記第１の複数のブラシフィラメント及び前記第２の複数のブラシフィラメントは、前記フィラメント担体の長手方向の広がりに対し前記フィラメント担体の周縁方向に沿って分散された列（特に該フィラメント担体の長手方向の広がりに沿って延在する）に配置されても良い。斯くして、第１及び第２の複数のブラシフィラメントを空間的に離隔された列に配置することにより、適切な回転角だけ長軸に沿ってフィラメント担体を回転させることによって、該複数のブラシフィラメントが容易に選択可能となり得る。
【００３３】
前記フィラメント担体は、細長い本体を有しても良く、前記細長い本体は、第１及び第２の対向する側面を有しても良く、前記第１の複数のブラシフィラメントは、前記第１の側面に配置されても良く、前記第２の複数のブラシフィラメントは、前記第２の側面に配置されても良い。とりわけ、フィラメント担体は、直方体の形状を有しても良く、第１及び第２の複数のブラシフィラメントは、該フィラメント担体の長手方向反対の両側に配置されても良い。とりわけ、該長手方向の側面の幅は、他の長手方向の側面の他の幅に比べて小さくても良い。従って、第１及び第２の複数のブラシフィラメントは、約１８０°の角度だけフィラメント担体を回転させることによって選択可能となり得る。斯くして、管状基部体の内部空間は、最適な態様で利用され得る。とりわけ、長方形の断面を持つようにフィラメント担体を設計することにより、該ヘアブラシ装置の重量が特に小さくなり、それにより該ヘアブラシ装置の使用を容易化し得る。
【００３４】
前記特性は、前記複数のブラシフィラメントの数、前記ヘアブラシ装置に沿った前記複数のブラシフィラメントの配置、前記複数のブラシフィラメントの色、前記複数のブラシフィラメントの長さ、前記複数のブラシフィラメントの厚さ、及び前記複数のブラシフィラメントの材料のうちの少なくとも１つを有しても良い。とりわけ、複数のブラシフィラメントのこれら特性は、該複数のブラシフィラメントの剛性及び従って該ヘアブラシ装置の剛性に影響を与え得る。とりわけ、異なる色の第１及び第２の複数のブラシフィラメントを用いて、該複数のブラシフィラメントの選択を容易化するため、及び選択された第１及び第２の複数のブラシフィラメントをユーザが識別することを可能とするため、該ヘアブラシ装置のユーザのための色符号化された情報が提供され得る。
【００３５】
とりわけ、複数のブラシフィラメントの長さが大きくなるほど、複数のブラシフィラメントの剛性は小さくなり得る。特に、複数のブラシフィラメントの厚さが小さくなるほど、複数のブラシフィラメントの剛性は小さくなり得る。とりわけ、複数のブラシフィラメントの数が小さくなるほど、該ヘアブラシ装置のユーザにより体験されるヘアブラシの剛性が小さくなり得る。
【００３６】
とりわけ、第１の複数のブラシフィラメントは青色を有しても良く、第２の複数のブラシフィラメントは黒色を有しても良い。
【００３７】
とりわけ、複数のブラシフィラメントの材料は、プラスチック、ナイロン及び馬の毛を有しても良い。
【００３８】
とりわけ、第１の複数のブラシフィラメントはナイロン材料を有しても良く、第２の複数のブラシフィラメントは馬の毛の材料を有しても良い。
【００３９】
該ヘアブラシ装置は、複数のフィラメント担体を更に有しても良く、前記第１及び第２の複数のブラシフィラメントは、前記複数のフィラメント担体に接続されても良く、前記作動要素は、前記複数のフィラメント担体が、使用のために選択された前記第１の複数のブラシフィラメントに関連する第１の位置と、使用のために選択された前記第２の複数のブラシフィラメントに関連する第２の位置と、の間で、前記複数のフィラメント担体の長軸に沿って回転可能であるように、前記複数のフィラメント担体に駆動接続されても良い。とりわけ、複数のフィラメント担体は、特に径方向反対の位置に、作動要素の周縁部に沿って配置されても良い。従って、該ヘアブラシ装置のユーザは、該ヘアブラシ装置とスタイリングされるべき髪との相対的な配置に対して注意を払う必要がなくなり、該ヘアブラシ装置の使用を容易化し得る。
【００４０】
とりわけ、複数のフィラメント担体の第１及び第２の位置の各々は、複数のフィラメント担体のそれぞれの回転角により定義されても良い。
【００４１】
該ヘアブラシ装置は、少なくとも他の複数のブラシフィラメントを更に有しても良く、前記第１の複数のブラシフィラメントの特性と、前記第２の複数のブラシフィラメントの対応する特性と、前記少なくとも他の複数のブラシフィラメントの対応する特性とは互いに異なっていても良く、前記作動要素は、前記少なくとも他の複数のブラシフィラメントに駆動接続され、前記第１の複数のブラシフィラメント、前記第２の複数のブラシフィラメント、又は前記少なくとも他の複数のブラシフィラメントを使用のため選択するために作動可能に構成されても良い。斯くして、該ヘアブラシ装置は、使用可能な複数のブラシフィラメントの少なくとも別の剛性値を有することができ、それにより該ヘアブラシ装置の利用領域が更に拡大され得る。とりわけ、フィラメント担体は三角形の断面を有しても良く、第１の複数のブラシフィラメントはフィラメント担体の第１の長手方向側面に配置されても良く、第２の複数のブラシフィラメントはフィラメント担体の他の長手方向側面に配置されても良く、他の複数のフィラメント担体は該フィラメント担体の残りの長手方向側面に配置されても良い。
【００４２】
次いで、ヘアドライヤー機器の実施例が更に説明される。しかしながら、これら実施例は、ヘアブラシ装置及びヘアカーリング装置にも同様に当てはまる。
【００４３】
とりわけ、該ヘアブラシ装置は、ヘアドライヤー機器の上端部を形成しても良い。
【００４４】
とりわけ、フィラメント担体及び／又は管状基部体は、冷たい空気及び／又は加熱された空気が髪の毛を乾かすために供給される、複数の貫通穴を有しても良い。とりわけ、管状基部体の複数の貫通穴は、複数の開口と同一であっても良い。
【００４５】
とりわけ、該ヘアドライヤー機器は、柄を有さないが、該ヘアブラシ装置を該ヘアドライヤー機器の基部に接続するように構成された接続要素を有する。とりわけ、該接続要素（の特に前面）に固定要素が接続されても良い（とりわけ該接続要素の前面が作動要素の前面に面する）。
【００４６】
次いで、ヘアカーリング装置の実施例が更に説明される。しかしながら、これら実施例は、ヘアブラシ装置及びヘアドライヤー機器にも同様に当てはまる。
【００４７】
とりわけ、該ヘアブラシ装置は、ヘアカーリング装置の上端部を形成しても良い。
【００４８】
とりわけ、フィラメント担体及び／又は管状基部体は、熱伝導性材料を有しても良く、それにより該フィラメント担体及び／又は管状基部体を介して熱が髪の毛に伝導可能である。
【００４９】
とりわけ、該ヘアカーリング装置は、柄を有さないが、該ヘアブラシ装置を該ヘアカーリング装置の基部に接続するように構成された接続要素を有する。とりわけ、該接続要素（の特に前面）に固定要素が接続されても良い（とりわけ該接続要素の前面が作動要素の前面に面する）。
【００５０】
本発明は実施例を参照しながら以下に詳細に説明されるが、本発明はこれら実施例に限定されるものではない。
【図面の簡単な説明】
【００５１】
【図１】本発明の実施例によるヘアブラシ装置の、該ヘアブラシ装置の第１の位置における、斜視部分図を示す。
【図２】図１におけるヘアブラシ装置の、該ヘアブラシ装置の第２の位置における、斜視部分図を示す。
【図３】図２における線Ａ−Ａに沿ってとられた、図１におけるヘアブラシ装置の断面図を示す。
【発明を実施するための形態】
【００５２】
図面における図示は、模式的なものである。異なる図において、類似する又は同一の要素が、同一の参照記号を与えられることもあるし、ひと桁目だけが異なる参照記号を与えられることもある点に留意されたい。
【００５３】
図１乃至３を参照すると、本発明の実施例によるヘアブラシ装置１００が示されている。ヘアブラシ装置１００は、柄１０２、回転するホイールの形をとる作動要素１０４、管状基部体１０６、及び６個のフィラメント担体１０８ａ乃至ｆを有する。
【００５４】
フィラメント担体１０８ａ乃至ｆのそれぞれは、約１００ミリメートル（ｍｍ）の広がり、約２ｍｍ乃至約５ｍｍの厚さ、及び１０ｍｍの高さを持つ、直方体３１０ａ乃至ｆを有する（図３）。第１の複数のブラシフィラメント１１２は、小さな幅を持つフィラメント担体１０８ａ乃至ｆの第１の長手方向側面３１４ａ乃至ｆ上に列３１３ａ乃至ｆで配置され、第２の複数のブラシフィラメント１１６は、小さな幅を持つフィラメント担体１０８ａ乃至ｆの第１の長手方向側面３１４ａ乃至ｆとは反対側の長手方向側面３１８ａ乃至ｆ上に列３１３ａ乃至ｆで配置される。第１の複数のブラシフィラメント１１２のそれぞれは馬の毛からつくられており、１２ｍｍの長さと０．１ｍｍの直径とを持ち、第２の複数のブラシフィラメント１１６のそれぞれはナイロン材料からつくられており、７ｍｍの長さと０．３ｍｍの直径とを持つ。第１の複数のブラシフィラメント１１２は青色を有し、第２の複数のブラシフィラメント１１６は黒色を有する。説明の目的のため、図３においては参照番号のみがフィラメント担体１０８ｂに関連づけられて割り当てられている。
【００５５】
管状基部体１０６は、ヘアブラシ装置１００の管状基部体１０６の長軸１２２に垂直に延在する複数の開口部１２０を有する。複数の開口部１２０のそれぞれは、第１又は第２の複数のブラシフィラメント１１２、１１６が延在する細長い穴として設計される。
【００５６】
作動要素１０４は、作動要素１０４の長軸と同一である長軸１２２のまわりに２次元的に回転可能である。
【００５７】
フィラメント担体１０８ａ乃至ｆのそれぞれは、２次元回転的に動くことができる態様で軸受ピン３２４ａ乃至ｆを介して柄１０２に装着され、長軸３２５ａ乃至ｆのまわりに回転的に動くことが可能である（図３）。長軸３２５ａ乃至ｆのそれぞれは、ヘアブラシ装置１００の長軸１２２に平行に延在する。
【００５８】
フィラメント担体１０８ａ乃至ｆのそれぞれは、軸受ピン３２４ａ乃至ｆが柄１０２に接続されるために延在する内側開口３２８ａ乃至ｆを持つそれぞれの歯車３２６ａ乃至ｆに溶接されている。更に、歯車３２６ａ乃至ｆは、歯車３２６ａ乃至ｆの外側面に形成された外歯３３０ａ乃至ｆを有する。作動要素１０４は、作動要素１０４の内側面に形成され、歯車３２６ａ乃至ｆの外歯３３０ａ乃至ｆと係合する内歯３３２を有する。
【００５９】
更に、ヘアブラシ装置１００は、柄１０２に回転的に固定されたばね荷重された球の形をとる固定要素により形成されたロック機構３３４と、柄１０２に面する作動要素１０４の前面に形成されたそれぞれの第１及び第２の凹部３３６ａ、ｂと、を有する。第１及び第２の凹部３３６ａ、ｂは、作動要素１０４の周縁に沿って径方向反対側の位置に配置される。
【００６０】
ヘアブラシ装置１００の動作時には、ヘアブラシ装置１００のユーザは、ヘアブラシ装置１００の長軸１２２のまわりに作動要素１０４を矢印１３８に沿って回転させることにより、作動要素１０４を作動させる。従って、作動要素１０４の内歯３３２及び歯車３２６ａ乃至ｆの外歯３３０ａ乃至ｆは互いに対して回転し、このとき歯車３２６ａ乃至ｆは回転軸３２５ａ乃至ｆに沿って回転する。歯車３２６ａ乃至ｆはフィラメント担体１０８ａ乃至ｆに装着されているため、フィラメント担体１０８ａ乃至ｆは、柄１０２に接続された固定要素が作動要素１０４に形成された第１及び第２の凹部３３６ａ、ｂの１つと係合するまで、矢印３０４ａ乃至ｆに沿ってそれぞれの回転軸３２５ａ乃至ｆに沿って回転させられる。固定要素が第１及び第２の複数の凹部３３６ａ、ｂの１つと係合すると、第１の複数のブラシフィラメント１１２か又は第２の複数のブラシフィラメント１１６が、管状基部体１０６に形成された複数の開口部１２０を通って延在する。
【００６１】
図１は、第１の位置１４４にあるヘアブラシ装置１００を示しており、この位置においては、第１の複数のブラシフィラメント１１２が管状基部体１０６の複数の開口部１２０を通って延在し、従って使用のために選択される。ヘアブラシ装置１００の第１の位置１４４においては、フィラメント担体１０８ａ乃至ｆは、共通座標系に対して測定される０度（°）、６０°、１２０°、１８０°、２４０°、３００°及び３６０°（０°と等しい）の角度だけ回転させられる。図２は、ヘアブラシ装置１００の第２の位置２４６を示しており、この位置においては、第２の複数のブラシフィラメント１１６が管状基部体１０６の複数の開口部１２０を通って延在し、従って使用のために選択される。ヘアブラシ装置１００の第２の位置２４６においては、フィラメント担体１０８ａ乃至ｆは、共通座標系に対して測定される１８０°、２４０°、３００°、３６０°（０°に等しい）、４２０°（６０°に等しい）、４８０°（１２０°に等しい）及び５４０°（１８０°に等しい）の角度だけ回転させられる。
【００６２】
本発明は図面及び以上の記述において説明され記載されたが、斯かる説明及び記載は説明するもの又は例示的なものであって限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
0005872592.tif 000002
【図２】
0005872592.tif 000003
【図３】
0005872592.tif 000004